(57)【要約】【課題】  スイッチング素子の接点溶着や短絡、回路の断線などの異常を検出する。【解決手段】  キャパシタの放電を実行するのに先立ち、次の処理を実行する。キャパシタに電力を供給する２重スイッチであるリレー、半導体スイッチをオフに維持したまま、この回路で電流を検出できるか否かを判断する（ステップＳ４）。リレー、半導体スイッチがオフにされているにもかかわらず、電流を検出できるときは（ステップＳ４のＹ）、リレーに接点溶着などの異常があると判断できるので、リレーに異常がある旨のメッセージをユーザに報知する（ステップＳ５）。次に、リレーをオンにし、半導体スイッチをオフに維持したまま、回路で電流を検出できるか否かを判断する（ステップＳ６）。電流を検出できるときは（ステップＳ６のＹ）、半導体スイッチに短絡などの異常があると判断できるので、半導体スイッチに異常がある旨のメッセージをユーザに報知する（ステップＳ７）。【選択図】    図５
2005221773.tif 000002
【特許請求の範囲】
【請求項１】
トナー画像が形成された媒体を加圧及び加熱して前記トナー画像の定着を行なう定着部材と、
商用電源から電力の供給を受けて発熱し前記定着部材を加熱する第１の発熱素子と、
キャパシタと、
商用電源から電力の供給を受けて前記キャパシタを充電する充電器と、
前記キャパシタの充電電力の供給を受けて発熱し前記定着部材を加熱する第２の発熱素子と、
前記充電器の充電電力を前記第２の発熱素子に放電して発熱させるスイッチとなる第１のスイッチング素子と、
前記充電器の充電電力を前記第２の発熱素子に放電して発熱させるスイッチとなる第２のスイッチング素子と、
を備え、
前記第２の発熱素子、前記キャパシタ、前記第１のスイッチング素子、及び第２のスイッチング素子は直列に接続されていて、
直列に接続される前記第１のスイッチング素子と前記第２のスイッチング素子との間に前記キャパシタの充電電圧がある所定の電圧以上であることを検出する検出手段と、
前記両スイッチング素子をオフにしたまま前記検出手段で前記キャパシタの充電電圧がある所定の電圧以上であることを検出できるか否かを判定する第１の手段と、
前記検出がなされなかったときは前記第１のスイッチング素子をオンにし前記第２のスイッチング素子をオフにして前記検出回路で前記電流が検出できるか否かを判定する第２の手段と、
前記キャパシタの端子間電圧を検出する電圧センサと、
前記両スイッチング素子をオンにして前記検出回路で前記電流が検出できたときは、前記両スイッチング素子をオンにして所定の一定時間経過するまでの間の前記端子間電圧の降下の程度が予め設定された値以上であるか否かを判定する第３の手段と、
を備えている定着装置。
【請求項２】
前記両スイッチング素子をオフにしたまま前記検出手段で前記検出できたとき、前記第１のスイッチング素子をオンにし前記第２のスイッチング素子をオフにして前記検出手段で前記検出できなかったとき、又は前記両スイッチング素子をオンにして所定の一定時間経過するまでの間の前記端子間電圧の降下の程度が予め設定された値以下であったときは、前記直列に接続された回路に異常がある旨を報知する第４の手段を、備えている請求項１に記載の定着装置。
【請求項３】
前記第１のスイッチング素子は、機械式スイッチであり、
前記第２のスイッチング素子は、半導体スイッチである、
請求項１又は２に記載の定着装置。
【請求項４】
電子写真方式で媒体上に画像形成を行い、定着装置として請求項１〜３のいずれかの一に記載の定着装置を備えている、画像形成装置。
【発明の詳細な説明】
【技術分野】
【０００１】
本発明は、電気二重層コンデンサなどのキャパシタの充電電力を補助電源として定着部材を加熱する定着装置、及び当該定着装置を備えた画像形成装置に関する。
【背景技術】
【０００２】
特許文献１〜３には、電子写真方式の画像形成装置に用いられる定着装置の発熱素子（定着ヒータ）について、商用電源からの電力供給に加えて、電気二重層コンデンサなどを使用した充電可能な補助電源を用いることによって、急速な立ち上がりを可能にすることで省電力効果を高めようとした技術が開示されている。
【０００３】
【特許文献１】特開２００２−１８４５５４公報
【特許文献２】特開２００３−２９５６５９公報
【特許文献３】特開２００３−２９７５２６公報
【発明の開示】
【発明が解決しようとする課題】
【０００４】
ところで、前記従来の技術では、発熱素子が冷却した状態でキャパシタから通電すると大きな突入電流が流れて、突入電流が流れているときに電流をオフすると、発熱素子のインダクタンス成分に起因して逆起電圧が発生し、耐圧破壊により回路を破損する恐れがある。このような不具合に対処するには、キャパシタから発熱素子への放電のオン、オフを制御するスイッチング素子として半導体スイッチに機械式スイッチを併用することが望ましい。
【０００５】
そして、このような回路により発熱素子に対してキャパシタから通電する場合には、通電開始に際して予め各スイッチング素子や回路の異常の有無を検出しておきたい。
【０００６】
本発明の目的は、スイッチング素子の接点溶着や短絡、回路の断線などの異常を検出することができるようにすることである。
【課題を解決するための手段】
【０００７】
本発明は、トナー画像が形成された媒体を加圧及び加熱して前記トナー画像の定着を行なう定着部材と、商用電源から電力の供給を受けて発熱し前記定着部材を加熱する第１の発熱素子と、キャパシタと、商用電源から電力の供給を受けて前記キャパシタを充電する充電器と、前記キャパシタの充電電力の供給を受けて発熱し前記定着部材を加熱する第２の発熱素子と、前記充電器の充電電力を前記第２の発熱素子に放電して発熱させるスイッチとなる第１のスイッチング素子と、前記充電器の充電電力を前記第２の発熱素子に放電して発熱させるスイッチとなる第２のスイッチング素子と、を備え、前記第２の発熱素子、前記キャパシタ、前記第１のスイッチング素子、及び第２のスイッチング素子は直列に接続されていて、直列に接続される前記第１のスイッチング素子と前記第２のスイッチング素子との間に前記キャパシタの充電電圧がある所定の電圧以上であることを検出する検出手段と、前記両スイッチング素子をオフにしたまま前記検出手段で前記キャパシタの充電電圧がある所定の電圧以上であることを検出できるか否かを判定する第１の手段と、前記検出がなされなかったときは前記第１のスイッチング素子をオンにし前記第２のスイッチング素子をオフにして前記検出回路で前記電流が検出できるか否かを判定する第２の手段と、前記キャパシタの端子間電圧を検出する電圧センサと、前記両スイッチング素子をオンにして前記検出回路で前記電流が検出できたときは、前記両スイッチング素子をオンにして所定の一定時間経過するまでの間の前記端子間電圧の降下の程度が予め設定された値以上であるか否かを判定する第３の手段と、を備えている定着装置である。
【発明の効果】
【０００８】
したがって、第１、第２、第３の手段により、スイッチング素子の接点溶着、短絡などや、回路の断線などの異常を検出することができる。
【発明を実施するための最良の形態】
【０００９】
発明を実施するための最良の一形態について説明する。
【００１０】
図１は、本実施の形態のデジタル複写機１の縦断面図である。このデジタル複写機１は、本発明の画像形成装置を実施するもので、いわゆる複合機である。すなわち、このデジタル複写機１は、複写機能と、これ以外の機能、例えば、プリンタ機能、ファクシミリ機能とを備えていて、図示しない操作部のアプリケーション切り替えキーの操作により、複写機能、プリンタ機能、ファクシミリ機能を順次に切り替えて選択することが可能である。これにより、複写機能の選択時には複写モードとなり、プリンタ機能の選択時にはプリントモードとなり、ファクシミリモードの選択時にはファクシミリモードとなる。
【００１１】
次に、このデジタル複写機１の概略構成及び複写モードの際の動作について説明する。図１において、自動原稿送り装置（以下ＡＤＦという）１０１において、原稿台１０２に画像面を上にして置かれた原稿は、図示しない操作部上のスタートキーが押下されると、給紙ローラ１０３、給送ベルト１０４によってコンタクトガラスからなる原稿台１０２上の所定の位置に給送される。ＡＤＦ１０１は、一枚の原稿の給送完了毎に原稿枚数をカウントアップするカウント機能を有する。コンタクトガラス１０５上の原稿は、画像読取装置１０６によって画像情報が読み取られた後に、給送ベルト１０４、排送ローラ１０７によって排紙台１０８上に排出される。
【００１２】
原稿セット検知器１０９で原稿台１０２上に次の原稿が存在することが検知された場合には、同様に原稿台１０２上の一番下の原稿が給紙ローラ１０３、給送ベルト１０４によってコンタクトガラス１０５上の所定の位置に給送される。このコンタクトガラス１０５上の原稿は、画像読取装置１０６によって画像情報が読み取られた後に、給送ベルト１０４、排送ローラ１０７によって排紙台１０８上に排出される。ここに、給送ローラ３、給送ベルト４及び排送ローラ７は搬送モータによって駆動される。
【００１３】
第１給紙装置１１０、第２給紙装置１１１及び第３給紙装置１１２は、それぞれ選択されたときに、その積載された転写紙を給紙し、この転写紙は縦搬送ユニット１１６によって感光体１１７に当接する位置まで搬送される。感光体１１７は、例えば感光体ドラムが用いられていて、図示しないメインモータにより回転駆動される。
【００１４】
画像読取装置１０６で原稿から読み取られた画像データは、図示しない画像処理装置で所定の画像処理が施された後、書き込みユニット１１８によって光情報に変換され、感光体ドラム１１７には図示しない帯電器により一様に帯電された後に書き込みユニット１１８からの光情報で露光されて静電潜像が形成される。この感光体ドラム１１７上の静電潜像は、現像装置１１９により現像されてトナー像となる。書き込みユニット１１８、感光体ドラム１１７、現像装置１１９や、その他の図示しない感光体ドラム１１７回りの周知の装置などにより、電子写真方式で用紙などの媒体に画像形成を行なうプリンタエンジンを構成している。
【００１５】
搬送ベルト１２０は、用紙搬送の手段及び転写の手段を兼ねていて電源から転写バイアスが印加され、縦搬送ユニット１１６からの転写紙を感光体ドラム１１７と等速で搬送しながら感光体ドラム１１７上のトナー像を転写紙に転写する。この転写紙は、定着装置１２１によりトナー像が定着され、排紙ユニット１２２により排紙トレイ１２３に排出される。感光体ドラム１１７は、トナー像転写後に図示しないクリーニング装置により残存トナーのクリーニングがなされる。
【００１６】
以上の動作は、通常のモードで用紙の片面に画像を複写するときの動作であるが、両面モードで転写紙の両面に画像を複写する場合には、各給紙トレイ１１３〜１１５のいずれかより給紙されて表面に上述のように画像が形成された転写紙は、排紙ユニット１２２により排紙トレイ１２３側ではなく、両面入紙搬送路１２４側に切り替えられ、反転ユニット１２５によりスイッチバックされて表裏が反転され、両面搬送ユニット１２６へ搬送される。
【００１７】
この両面搬送ユニット１２６へ搬送された転写紙は、両面搬送ユニット１２６により縦搬送ユニット１１６へ搬送され、縦搬送ユニット１１６により感光体ドラム１１７に当接する位置まで搬送され、感光体ドラム１１７上に上述と同様に形成されたトナー像が裏面に転写されて、定着装置１２１でトナー像が定着されることにより両面コピーとなる。この両面コピーは排紙ユニット１２２により排紙トレイ１２３に排出される。
【００１８】
また、転写紙を反転して排出する場合には、反転ユニット１２５によりスイッチバックされて表裏が反転された転写紙は、両面搬送ユニット１２６に搬送されずに反転排紙搬送路１２７を経て排紙ユニット１２２により排紙トレイ１２３に排出される。
【００１９】
プリントモードでは、前述の画像処理装置からの画像データの代りに、外部からの画像データが書き込みユニット１１８に入力されて、前述と同様に転写紙上に画像が形成される。
【００２０】
さらに、ファクシミリモードでは、画像読取装置１０６からの画像データが図示しないファクシミリ送受信部により相手に送信され、相手からの画像データがファクシミリ送受信部で受信されて前述の画像処理装置からの画像データの代りに書き込みユニット１１８に入力されることにより、前述と同様に転写紙上に画像が形成される。
【００２１】
また、このデジタル複写機１には、図示しない大量用紙供給装置（以下、ＬＣＴという）と、及びソート、穴あけ、ステイプルなどを行なうフィニッシャーと、原稿読み取りのためのモード、複写倍率の設定、給紙段の設定、フィニッシャー１２で後処理の設定、オペレータに対する表示などを行なう操作部とを備えている。
【００２２】
次に、定着装置１２１の構成について図２を参照して説明する。図２に示すように、定着装置１２１は、本発明の発熱装置、定着装置を実施するもので、被加熱物である定着ローラ３０１に、シリコンゴム等の弾性部材からなる加圧ローラ３０２が、図示しない加圧手段により一定の加圧力で押し当てられている。定着部材と加圧部材は、一般的にローラ状である場合が多いが、例えば、いずれか一方又は両方を無端ベルト状に構成するようにしてもよい。この定着装置１２１には、ヒータＨＴ１，ＨＴ２が任意の位置に設けられる。例えば、このヒータＨＴ２，ＨＴ１は、定着ローラ３０１の内部に配置されていて、被加熱物である定着ローラ３０１を内側から加熱する。
【００２３】
定着ローラ３０１及び加圧ローラ３０２は、図示しない駆動機構により回転駆動される。温度センサ（サーミスタなど）ＴＨ１１は、定着ローラ３０１の表面に当接され、定着ローラ３０１の表面温度（定着温度）を検出する。トナー３０６を担持した転写紙等の媒体であるシート３０７は、定着ローラ３０１と加圧ローラ３０２とのニップ部を通過する際に、定着ローラ３０１と加圧ローラ３０２による加熱及び加圧でトナー画像３０６が定着される。
【００２４】
第１の発熱素子である定着ヒータＨＴ１は、定着部材となる定着ローラ３０１の基準となる所定の目標温度Ｔｔに達していないときにＯＮにされて、定着ローラ３０１を加熱する主たるヒータ（主ヒータ）である。第２の発熱素子である定着ヒータＨＴ２は、本複写機１の主電源投入の時や、後述の省エネモードから復帰してコピー可能となるまでの立ち上げ時等、すなわち、定着装置１２１のウォームアップ時にＯＮにされて、定着ローラ３０１を加熱する補助的なヒータ（補助ヒータ）である。
【００２５】
図３は、定着装置１２１を主とした本複写機１の電源制御系の構成を示す図である。図３に示す電源制御系は、ＡＣ電源（商用交流電源）ＰＳの供給のＯＮ／ＯＦＦを行なう主電源ＳＷ２０１と、マイクロコンピュータを備え、電源回路２００の各部その他を制御する制御装置となる制御部２０２と、定着ヒータＨＴ１の補助電源である蓄電器となるキャパシタＣＰ１と、このキャパシタＣＰ１を充電するための充電器となるキャパシタ充電器２０３と、本複写機１のＤＣ電源を生成するＤＣ電源生成回路２０４と、ＡＣ定着ヒータＨＴ２にＡＣ電力を供給するＡＣヒータ駆動回路２０５と、ＡＣ電源から入力される入力電流を検出する入力電流検出回路２０６と、インターロックスイッチ２０７と、キャパシタＣＰ１の放電を行って、定着ヒータＨＴ１にＤＣ電力を供給するキャパシタ充放電回路２０８と、を備えている。
【００２６】
ＡＣ電源ＰＳは、主電源ＳＷ２０１および入力電流検出回路２０６を介して、ＡＣヒータ駆動回路２０５と、ＤＣ電源生成回路２０４と、およびキャパシタ充電器２０３にＡＣ電力を供給する。
【００２７】
制御部２０２は、主に電源回路２００の各部を制御するものであり、キャパシタ充電器２０３、ＡＣヒータ駆動回路２０５、およびキャパシタ充放電回路２０８の動作を制御する。具体的には、制御部２０２は、キャパシタ充電器２０３に制御信号Ｓ１１を送出して、キャパシタ充電器２０３によるキャパシタＣＰ１の充電動作を制御する。また、制御部２０２は、キャパシタ充放電回路２０８に、制御信号Ｓ１３，Ｓ１４を送出して、キャパシタ充放電回路２０８による定着ヒータＨＴ１のＯＮ／ＯＦＦ動作を制御する。また、制御部２０２は、制御信号Ｓ１８，Ｓ１９をＡＣヒータ駆動回路２０５に送出して、ＡＣヒータ駆動回路２０５による定着ヒータＨＴ２のＯＮ／ＯＦＦ動作を制御する。
【００２８】
入力電流検出回路２０６は、主電源ＳＷ２０１と、ＡＣヒータ駆動回路２０５、ＤＣ電源生成回路２０４、およびキャパシタ充電器２０３間に設けられており、主電源ＳＷ２０１を介して入力されるＡＣ電源の入力電流を検出して、検出電流を制御部２０２に出力する。この入力電流は、ＡＣヒータ駆動回路２０５、ＤＣ電源生成回路２０４、キャパシタ充電器２０３、および画像形成装置の動作状態に応じて変動する。
【００２９】
ＤＣ電源生成回路２０４は、主電源ＳＷ２０１を介して入力されるＡＣ電源に基づいて、画像形成装置内部で主に制御系で使用される電源Ｖｃｃと、主に駆動系、中高圧電源に使用される電源Ｖａａを生成して、各部に出力する。
【００３０】
インターロックスイッチ２０７は、図示しない本複写機１の筐体に設けられた蓋体の開閉と連動してＯＮ／ＯＦＦするスイッチであり、複写機１の筐体が開放されることにより触れることができる駆動部材、中高圧電源印加部材を有する場合には、筐体の開時に該駆動部材の動作を停止または該印加部材への電圧印加を停止するよう電源を遮断する構成となっている。インターロックスイッチ２０７には、ＤＣ電源生成回路２０４で生成された電源Ｖａａの一部が入力され、このインターロックスイッチ２０７を介して、キャパシタ充放電回路２０８およびＡＣヒータ駆動回路２０５に入力される。
【００３１】
ＡＣヒータ駆動回路２０５は、制御部２０２から入力される制御信号に応じて、ＡＣ定着ヒータＨＴ２のＯＮ／ＯＦＦを行なう。
【００３２】
キャパシタ充電器２０３は、キャパシタＣＰ１と接続されており、制御部２０２から入力される制御信号に基づいて、キャパシタＣＰ１の充電を行なう。
【００３３】
キャパシタＣＰ１は、電気二重層コンデンサ等の大容量のキャパシタで構成されている。キャパシタＣＰ１は、キャパシタ充電器２０３およびキャパシタ充放電回路２０８に接続されており、キャパシタ充電器２０３で充電が行われ、その充電された電力は、キャパシタ充放電回路２０８のＯＮ／ＯＦＦ制御により定着ヒータＨＴ１に供給される。
【００３４】
キャパシタ充放電回路２０８は、制御部２０２から入力される制御信号に応じて、キャパシタＣＰ１に蓄積された電力を放電させて、定着ヒータＨＴ１をＯＮ／ＯＦＦさせる。
【００３５】
上記サーミスタＴＨ１１は、定着ローラ１５１の近傍に設けられており、定着ローラ１５１の表面温度に応じた検出信号Ｓ１６を制御部２０２に出力する。サーミスタＴＨ１１は、その抵抗値が温度により変化するため、制御部２０２は、その抵抗値の温度変化を利用して、検出信号から定着ローラ１５１の表面温度を検出する。
【００３６】
次に、キャパシタ充放電回路２０８、制御部２０２の構成と動作について説明する。
【００３７】
まず、キャパシタ充放電回路２０８の回路構成について説明する。図４に示すように、キャパシタ充放電回路２０８は、第１のスイッチング素子となる機械式スイッチ、この例ではリレー４０１と、第２のスイッチング素子となる半導体スイッチ、この例ではＭＯＳＦＥＴで構成される半導体スイッチＦＥＴを備えている。このリレー４０１、半導体スイッチＦＥＴは、いずれも、そのオン、オフによりキャパシタＣＰ１の充電電力をヒータＨＴ２に通電し、その通電を停止するスイッチである。このリレー４０１、半導体スイッチＦＥＴ、キャパシタＣＰ１、ヒータＨＴ２は直列に接続されている。
【００３８】
このように、キャパシタＣＰ１からヒータＨＴ２への電力供給のオン、オフは半導体スイッチＦＥＴのみならずリレー４０１も併用して行うことができるので、回路の安全性を向上させることができる。
【００３９】
次に、この回路に発生した異常を検出するための回路について説明する。
【００４０】
検出回路４０６は、リレー４０１、半導体スイッチＦＥＴ、キャパシタＣＰ１、ヒータＨＴ２が直列に接続された回路において、半導体スイッチＦＥＴのドレイン側で電圧を検出する。そして、その電圧が所定の基準値であるか否かを判断する。電圧の検出のみを行い、所定の基準値との比較判断はマイクロコンピュータ４０３で行なってもよい。これにより検出手段を実現している。電圧センサ４０２は、キャパシタＣＰ１の端子間電圧を検出する。
【００４１】
制御部２０２は、定着装置１２１を制御するマイクロコンピュータ４０３を備えている。マイクロコンピュータ４０３は、リレー４０１、半導体スイッチＦＥＴに制御信号を出力して、そのオン、オフを制御し、また、検出回路４０６、電圧センサ４０２の検出信号が入力する。また、複写機１の図示しない操作パネルに設けられたディスプレイ４０４に所定のメッセージを出力し、複写機１にネットワークを介して接続されているネットワークサーバ４０５にメッセージを出力する。なお、実際は、複写機１の図示しない操作パネルを制御する別のマイクロコンピュータや、複写機１が備えている図示しないネットワークインターフェイスを介して、これらのメッセージが表示されるが、これらの内容は周知の技術であるので詳細な説明は省略し、図４においては、便宜上、直接ディスプレイ４０４、ネットワークサーバ４０５にメッセージを出力するように図示している。
【００４２】
次に、所定の制御プログラムに基づいて、マイクロコンピュータ４０３が実行する処理について説明する。図５、図６は、かかる処理のフローチャートである。
【００４３】
まず、図５の処理は、マイクロコンピュータ４０３が、キャパシタＣＰ１の放電の開始を指示するコマンドに先立って上位の制御装置から出力されるキャパシタＣＰ１の充電を禁止するコマンドを受信して、その充電をオフにすることにより開始する（ステップＳ１のＹ，Ｓ２）。そして、電圧センサ４０２の検出電圧が所定の基準電圧Ｖａ（例えば３０Ｖ）以上であるか否かを判断する（ステップＳ３）。この検出電圧が基準電圧Ｖａ未満のときは（ステップＳ３のＮ）、後続の処理が行なえないので、図５の処理は終了する。
【００４４】
検出電圧が電圧Ｖａ以上のときは（ステップＳ３のＹ）、リレー４０１、半導体スイッチＦＥＴをオフに維持したまま、検出回路４０６で電圧を検出できるか否かを判断する（第１の手段）（ステップＳ４）。リレー４０１、半導体スイッチＦＥＴをオフにされているにもかかわらず、検出回路４０６で電圧を検出できるときは（ステップＳ４のＹ）、リレー４０１に接点溶着などの異常があると判断できるので、リレー４０１に異常がある旨のメッセージをディスプレイ４０４に表示し、ネットワークサーバ４０５に通知して、ユーザに報知する（第４の手段）（ステップＳ５）。
【００４５】
検出回路４０６で電圧を検出できなかったときは（ステップＳ４のＹ）、リレー４０１をオンにし、半導体スイッチＦＥＴをオフに維持したまま、検出回路４０６で電圧を検出できるか否かを判断する（第２の手段）（ステップＳ６）。この場合に、検出回路４０６で電圧を検出できないときは（ステップＳ６のＮ）、半導体スイッチＦＥＴに短絡などの異常、あるいはリレー４０１の動作不良（リレー４０１が閉じない）があると判断できるので、半導体スイッチＦＥＴなどに異常がある旨のメッセージをディスプレイ４０４に表示し、ネットワークサーバ４０５に通知して、ユーザに報知する（第４の手段）（ステップＳ７）。以上により図５の処理を終了する。
【００４６】
図５の処理の終了後、図６の処理を実行する。この処理は、マイクロコンピュータ４０３が、キャパシタＣＰ１の放電の開始を指示する最初のコマンドを上位の制御装置から受信したときに開始する（ステップＳ１１のＹ）。この処理を開始するに際しては、電圧センサ４０２の検出電圧が基準電圧Ｖａでないときは、キャパシタＣＰ１の放電の開始を指示する最初のコマンドは発行されず、よって、図６の処理では、ステップＳ３に相当する処理を実行する必要はない。
【００４７】
このときには、図５の処理によりリレー４０１はオンになっている。そして、電圧センサ４０２でキャパシタＣＰ１の端子電圧を検出する（このときの検出値をＶcap1とする）（ステップＳ１２）。そして、半導体スイッチＦＥＴをオンにしてキャパシタＣＰ１から定着ヒータＨＴ２への放電を開始し（ステップＳ１３）、この放電を一定時間（例えば、１０００ｍｓ）継続した後（ステップＳ１４のＹ）、電圧センサ４０２でキャパシタＣＰ１の端子電圧を再び検出する（このときの検出値をＶcap2とする）（ステップＳ１５）。次に、“Ｖcap1−Ｖcap2”の値、すなわち、一定時間の間だけ放電を継続した前後の電圧差を求め、この値が所定の値Ｖｂ（例えば１Ｖ）以上か否かを判断する（第３の手段）（ステップＳ１６）。“Ｖcap1−Ｖcap2≧Ｖｂ”であるときは（ステップＳ１６のＹ）、キャパシタＣＰ１は適正に電圧が降下しており、正常にキャパシタＣＰ１から放電が行なわれていると判断できるので、キャパシタＣＰ１から定着ヒータＨＴ２に放電する回路は、図５の処理による判断も含めて正常であると判断でき、図６の処理を終了する。
【００４８】
“Ｖcap1−Ｖcap2＜Ｖｂ”であるときは（ステップＳ１６のＮ）、キャパシタＣＰ１は適正に電圧が降下しておらず、回路に断線などの異常が発生して、正常にキャパシタＣＰ１から放電が行なわれていない判断できるので、回路に異常がある旨のメッセージをディスプレイ４０４に表示し、ネットワークサーバ４０５に通知して、ユーザに報知する（第４の手段）（ステップＳ１７）。
【００４９】
このように、キャパシタＣＰ１から放電を行なうのに先立って、図５、図６の処理を実行することにより、リレー４０１の接点溶着、半導体スイッチＦＥＴの短絡、回路の断線などの異常を検出することができる。
【図面の簡単な説明】
【００５０】
【図１】本実施の形態のデジタル複写機の縦断面図である。
【図２】定着装置の説明図である。
【図３】定着装置を主としたデジタル複写機の電源制御系の回路図である。
【図４】キャパシタ充放電回路、制御部の構成を示す回路図である。
【図５】制御部のマイクロコンピュータが実行する処理のフローチャートである。
【図６】制御部のマイクロコンピュータが実行する処理のフローチャートである。
【符号の説明】
【００５１】
ＰＳ  商用電源
ＨＴ１  第１の発熱素子
ＨＴ２  第２の発熱素子
ＣＰ１  キャパシタ
ＦＥＴ  第２のスイッチング素子、半導体スイッチ
１  画像形成装置
１２１  定着装置
２０３  充電器
３０１  定着部材
４０１  第１のスイッチング素子、リレー
４０２，４０３  電圧センサ
４０６  検出回路
【図１】
2005221773.tif 000003
【図２】
2005221773.tif 000004
【図３】
2005221773.tif 000005
【図４】
2005221773.tif 000006
【図５】
2005221773.tif 000007
【図６】
2005221773.tif 000008